(57)【要約】      （修正有）【課題】歪補償装置を備える増幅装置において、低コスト化が可能となる増幅装置等を提供する。【解決手段】増幅装置２０は、増幅器１６４と、増幅器１６４の歪補償を行う歪補償部１６１と、増幅器１６４のアイドル電流の経時的な変動に応じて、当該アイドル電流を調整する調整処理部２００とを備えている。増幅器によって増幅される信号が休止される休止時期を示す休止情報を外部から取得し、この休止情報に基づいて、アイドル電流の経時的な変動を補償する。【選択図】図３
2015027034.tif 000002
【特許請求の範囲】
【請求項１】
増幅器と、
前記増幅器のアイドル電流の経時的な変動に応じて、当該アイドル電流を調整する調整部と、を備えている増幅装置。
【請求項２】
前記調整部は、前記増幅器によって増幅される信号が休止される休止時期を示す休止情報を外部から取得し、この休止情報に基づいて、前記増幅器のアイドル電流を検出する請求項１に記載の増幅装置。
【請求項３】
前記調整部は、ドレイン電圧を調整することで、前記増幅器のアイドル電流が経時的に一定となるように調整する請求項１又は請求項２に記載の増幅装置。
【請求項４】
前記増幅器の歪補償を行う歪補償部と、
前記歪補償部が歪補償に用いるための歪補償係数であって前記増幅器の稼働状態を示す稼働情報に応じた歪補償係数を取得する係数取得部と、をさらに備え、
前記歪補償部は、前記係数取得部が取得した前記歪補償係数に基づいて歪補償を行う請求項１から請求項３のいずれか一項に記載の増幅装置。
【請求項５】
通信信号を増幅するための増幅装置を備えた無線通信装置であって、
前記増幅装置は、
増幅器と、
前記増幅器のアイドル電流の経時的な変動に応じて、当該アイドル電流を調整する調整部と、を備えている無線通信装置。
【請求項６】
前記通信信号の送受信を休止させる休止処理を行うとともに、前記休止処理を実行する時期を示す休止情報を前記調整部に与える休止制御部をさらに備え、
前記調整部は、前記休止情報に基づいて、前記増幅器のアイドル電流を検出する請求項５に記載の無線通信装置。
【請求項７】
前記休止制御部は、他の無線通信装置、又は自装置が接続される上位ネットワークの機器から与えられる命令に基づいて、休止処理を実行する請求項６に記載の無線通信装置。
【請求項８】
カバレッジセル内に配置されたキャパシティブースタ基地局を構成している請求項５から請求項７のいずれか一項に記載の無線通信装置。
【請求項９】
前記増幅器のアイドル電流を検出するステップと、
前記増幅器のアイドル電流の経時的な変動に応じて、当該アイドル電流を調整する調整ステップと、を含むアイドル電流の調整方法。
【請求項１０】
コンピュータに増幅器のアイドル電流の調整を行わせるプログラムであって、
前記増幅器のアイドル電流を検出するステップと、
前記増幅器のアイドル電流の経時的な変動に応じて、当該アイドル電流を調整する調整ステップと、を実行させるプログラム。
【発明の詳細な説明】
【技術分野】
【０００１】
本発明は、増幅装置、無線通信装置、アイドル電流の調整方法、及びプログラムに関するものである。
【背景技術】
【０００２】
近年、携帯電話等に用いられる無線通信システムにおいては、ＬＴＥ（Long Term Evolution）等の高速かつ広帯域な通信方式が普及しつつある（例えば、特許文献１参照）。
【先行技術文献】
【特許文献】
【０００３】
【特許文献１】特開２０１０−２１９８１８
【発明の概要】
【発明が解決しようとする課題】
【０００４】
上記ＬＴＥでは、システムの利用帯域が最大で２０ＭＨｚ程度であったが、ＬＴＥの後継システムであるＬＴＥ−Ａ（Advanced）では、システムの利用帯域が１００ＭＨｚ程度にまで拡張されることが予定されている。
このため、上記無線通信システムに用いられる基地局装置の増幅装置においても、広帯域化に対応する必要があり、広帯域化に伴う部品コストの増加が懸念される。
【０００５】
その一方、上記ＬＴＥ−Ａでは、通信容量の増加を目的としてスモールセルが積極的に導入されるため、このスモールセルに対応した小型基地局装置に用いる増幅装置として、小型軽量かつ低コストな増幅装置が求められている。
【０００６】
上記スモールセルに対応した小型基地局装置用の増幅装置では、ＬＴＥ−Ａの採用による広帯域化によって部品コストの増加が懸念されているにも関わらず、さらなる低コスト化が求められているという問題を有している。
【０００７】
本発明はこのような事情に鑑みてなされたものであり、増幅装置の低コスト化が可能な技術を提供することを目的とする。
【課題を解決するための手段】
【０００８】
本発明に係る増幅装置は、増幅器と、前記増幅器のアイドル電流の経時的な変動に応じて、当該アイドル電流を調整する調整部と、を備えている。
【０００９】
また、本発明は、通信信号を増幅するための増幅装置を備えた無線通信装置であって、前記増幅装置は、増幅器と、前記増幅器のアイドル電流の経時的な変動に応じて、当該アイドル電流を調整する調整部と、を備えている。
【００１０】
また、本発明に係る増幅器のアイドル電流の調整方法は、前記増幅器のアイドル電流を検出するステップと、前記増幅器のアイドル電流の経時的な変動に応じて、当該アイドル電流を調整する調整ステップと、を含む。
【００１１】
また、本発明は、コンピュータに増幅器のアイドル電流の調整を行わせるプログラムであって、前記増幅器のアイドル電流を検出するステップと、前記増幅器のアイドル電流の経時的な変動に応じて、当該アイドル電流を調整する調整ステップと、を実行させるプログラムである。
【発明の効果】
【００１２】
本発明の増幅装置によれば、より低コスト化が可能となる。また、本発明の無線通信装置、アイドル電流の調整方法、及びプログラムによれば、増幅装置の低コスト化が可能となる。
【図面の簡単な説明】
【００１３】
【図１】無線通信システムの構成を示す図である。
【図２】増幅装置を備えたキャパシティブースタ基地局装置の要部を示すブロック図である。
【図３】第１実施形態に係る送信部の要部を示すブロック図である。
【図４】歪補償部の構成を示すブロック図である。
【図５】係数記憶部が保持するＬＵＴの一例を示す図である。
【図６】調整処理部の構成を示すブロック図である。
【図７】調整処理部による電圧調整処理を示したフローチャートである。
【図８】調整処理部の他の例を示すブロック図である。
【発明を実施するための形態】
【００１４】
［本願発明の実施形態の説明］
無線通信システムの基地局装置等の無線通信装置に用いられる増幅装置は、一般に、デジタル信号処理によって増幅器の歪補償を行う歪補償装置を備えている。この歪補償装置は、増幅器が出力したアナログの出力信号を帰還信号として取得するため、アナログの出力信号をデジタルの信号に変換するＡ／Ｄ変換器を備えている。このＡ／Ｄ変換器は、変換する出力信号の帯域幅が大きくなれば、それに応じてよりサンプリング周波数の高いものを用いなければならず、広帯域化によってＡ／Ｄ変換器のコストが増加する可能性がある。
【００１５】
この点、歪補償装置が増幅器の出力信号を帰還信号として用いない歪補償の方法を採用することが考えられる。この場合、歪補償を行うのに増幅器の出力信号を用いないので、コスト増加の要因であるＡ／Ｄ変換器を用いる必要がなく、低コスト化が可能となる。
【００１６】
上述の増幅器の出力信号を帰還信号として用いない歪補償方法としては、予め、増幅器の温度や、出力電力といった増幅器の稼働状態に応じた歪補償係数をＬＵＴ等として記憶しておき、稼働状況に応じてＬＵＴを参照し適切な歪補償係数を選択し歪補償を行うといった構成が考えられる。
【００１７】
しかし、ＬＵＴを用いて歪補償を行う場合、実際の信号をサンプリングしないので、増幅器の経時変化に対応できない。
つまり、一般に、増幅器の経時変化としては、アイドル電流に変動が生じる。増幅器のアイドル電流に変動が生じると、増幅器の増幅特性に影響を及ぼす。すると、実際の信号をサンプリングせず、ＬＵＴに含まれている歪補償係数を用いて歪補償を行う構成では、増幅器の増幅特性が変化したとしても、変化する前と同じ歪補償係数を用いて歪補償を行うため、補償精度を低下させるおそれがある。
本願発明者は、この点に着目して本願発明を完成させた。
【００１８】
まず最初に本願発明の実施形態の内容を列記して説明する。
なお、以下に記載する実施形態の少なくとも一部を任意に組み合わせてもよい。
（１）本発明の一実施形態である増幅装置は、増幅器と、前記増幅器のアイドル電流の経時的な変動に応じて、当該アイドル電流を調整する調整部と、を備えている。
【００１９】
上記のように構成された増幅装置によれば、調整部が、増幅器のアイドル電流の経時的な変動に応じて、当該アイドル電流を調整することにより、アイドル電流の経時的な変動を抑制することができる。
これにより、アイドル電流の変動が増幅器の増幅特性に与える影響を抑制することができるので、増幅器の帰還信号を用いることなく歪補償を行うことが可能な歪補償部を採用することが可能となり、増幅器の出力信号をデジタル信号に変換するためのＡ／Ｄ変換器を用いることなく、歪補償を行うことができる。この結果、広帯域の信号を処理する場合にも、コスト増加の要因となるＡ／Ｄ変換器を用いる必要がないので、低コスト化が可能となる。
なお、ここで、上記アイドル電流は、増幅器に流れるアイドル電流の他、このアイドル電流と等価な値も含む。
【００２０】
（２）アイドル電流は、増幅器によって増幅される信号がないときにドレインに流れる電流であるため、増幅器によって増幅される信号が休止されるときに検出する必要がある。
このため、上記増幅装置において、前記調整部は、前記増幅器によって増幅される信号が休止される休止時期を示す休止情報を外部から取得し、この休止情報に基づいて、前記増幅器のアイドル電流を検出することが好ましい。
この場合、調整部は、休止情報に基づいて増幅器が休止される時期を特定することができる。よって、確実に増幅器のアイドル電流を検出することができる。
【００２１】
（３）また、上記増幅装置において、前記調整部は、ドレイン電圧を調整することで、前記増幅器のアイドル電流が経時的に一定となるように調整することが好ましい。
この場合、調整部は、容易に増幅器のアイドル電流を調整することができる。
【００２２】
（４）上記増幅装置において、前記増幅器の歪補償を行う歪補償部と、前記歪補償部が歪補償に用いるための歪補償係数であって前記増幅器の稼働状態を示す稼働情報に応じた歪補償係数を取得する係数取得部と、をさらに備え、前記歪補償部は、前記係数取得部が取得した前記歪補償係数に基づいて歪補償を行うことが好ましい。
この場合、調整部によって、アイドル電流の変動が増幅器の増幅特性に与える影響を抑制することができるので、増幅器の稼働状態に応じた歪補償係数によって歪補償を行うことで、増幅器の帰還信号を用いることなく歪補償を行う歪補償部を用いることができる。この結果、増幅器の出力信号をデジタル信号に変換するためのＡ／Ｄ変換器を用いることなく、歪補償を行うことができ、広帯域の信号を処理する場合にも、コスト増加の要因となるＡ／Ｄ変換器を用いる必要がないので、低コスト化が可能となる。
【００２３】
（５）また、本発明の他の実施形態である無線通信装置は、通信信号を増幅するための増幅装置を備えた無線通信装置であって、前記増幅装置は、増幅器と、前記増幅器のアイドル電流の経時的な変動に応じて、当該アイドル電流を調整する調整部と、を備えている。
【００２４】
（６）上記無線通信装置において、前記通信信号の送受信を休止させる休止処理を行うとともに、前記休止処理を実行する時期を示す休止情報を前記調整部に与える休止制御部をさらに備え、前記調整部は、前記休止情報に基づいて、前記増幅器のアイドル電流を検出することが好ましい。
上述したように、アイドル電流は、増幅器によって増幅される信号がないときにドレインに流れる電流であるため、増幅器によって増幅される信号が休止されるときに検出する必要がある。
この点、上記構成によれば、この場合、調整部は、休止情報に基づいて増幅器が休止される時期を特定することができる。よって、確実に増幅器のアイドル電流を検出することができる。
【００２５】
（７）（８）また、前記休止制御部は、他の無線通信装置、又は自装置が接続される上位ネットワークの機器から与えられる命令に基づいて、休止処理を実行するものであってもよく、さらに、本無線通信装置が、カバレッジセル内に配置されたキャパシティブースタ基地局を構成していてもよい。
【００２６】
（９）また、本発明の他の実施形態である増幅器のアイドル電流の調整方法は、前記増幅器のアイドル電流を検出するステップと、前記増幅器のアイドル電流の経時的な変動に応じて、当該アイドル電流を調整する調整ステップと、を含む。
【００２７】
（１０）また、本発明の他の実施形態である、コンピュータに増幅器のアイドル電流の調整を行わせるプログラムであって、前記増幅器のアイドル電流を検出するステップと、前記増幅器のアイドル電流の経時的な変動に応じて、当該アイドル電流を調整する調整ステップと、を実行させるプログラムである。
【００２８】
［本願発明の実施形態の詳細］
以下、好ましい実施形態について図面を参照しつつ説明する。
〔１．  無線通信システムの構成〕
図１は、無線通信システムの構成を示す図である。この無線通信システムは、カバレッジ基地局装置１００と、キャパシティブースタ基地局装置１（１ａ，１ｂ）とを備えており、複数の基地局装置を備えたセル方式のシステムである。本実施形態の無線通信システムは、例えば、ＬＴＥが適用されるシステムであり、各基地局装置と、移動端末２との間において、ＬＴＥに準拠した通信が行われる。ただし、通信方式は、ＬＴＥに限られるものではない。
【００２９】
カバレッジ基地局装置１００は、例えば、マクロ基地局であり、半径数キロメートルのカバレッジセル１０１を形成している。カバレッジ基地局１００は、カバレッジセル１０１内に存在する移動端末２と通信接続可能である。
【００３０】
キャパシティブースタ基地局装置１（以下、ＣＢ基地局装置１ともいう）は、カバレッジ基地局装置１００の通信容量の不足を補うために、カバレッジセル１０１内に設置される。ＣＢ基地局装置１（１ａ，１ｂ）は、半径数１０メートルのキャパシティブースタセル１０２（１０２ａ，１０２ｂ）を形成している。ＣＢ基地局装置１は、例えば、ピコ基地局又はフェムト基地局で構成される。
【００３１】
ＣＢ基地局装置１は、キャパシティブースタセル１０２内に存在する移動端末２と通信接続可能である。
ＣＢ基地局装置１は、上述のように、カバレッジ基地局装置１００の通信容量の不足を補うために設置されている。よって、当該ＣＢ基地局装置１が設置されている周辺のトラフィックが、カバレッジ基地局装置１００によって対応可能な程度に減少すれば、当該ＣＢ基地局装置１を動作させておく必要性が低くなる。このため、ＣＢ基地局装置１は、動作モードとして、移動端末２との間の無線信号の送受信を実行可能な活性（Active）状態、及び、移動端末２との間の無線信号の送受信を停止する休止（Dormant）状態のいずれかのモードを必要に応じて選択的に実行する。
【００３２】
ＣＢ基地局装置１は、カバレッジ基地局装置１００や、無線通信システムにおける上位機器等の制御に基づいて、又は、自らの判断に基づいて、活性状態、又は休止状態のいずれかを選択する機能を有している。
【００３３】
〔２．  キャパシティブースタ基地局装置の全体構成〕
図２は、実施形態に係る増幅装置を備えたキャパシティブースタ基地局装置の要部を示すブロック図である。
図中、無線通信装置としてのＣＢ基地局装置１は、リモートラジオヘッド（Remote Radio Head，以下、ＲＲＨともいう）３と、ベースバンドユニット（Base Band Unit，以下、ＢＢＵともいう）４とを備えている。
【００３４】
ＲＲＨ３は、ＣＢ基地局装置１に接続する移動端末２との間で送受信される送受信データを無線信号として送受信するための処理を行う機能を有している。
ＢＢＵ４は、ＲＲＨ３が送受信する送受信データについてのデジタル信号処理等を行う機能を有している。
ＲＲＨ３と、ＢＢＵ４とは、光ファイバ等の伝送路を用いた回線で接続されている。なお、図例では、一つのＢＢＵ４に対して一つのＲＲＨ３を接続した場合を例示しているが、一つのＢＢＵ４に対して複数のＲＲＨ３を接続してもよい。
【００３５】
ＲＲＨ３は、送信部５と、受信部６と、アンテナ７とを備えている。
送信部５は、ＢＢＵ４からデジタルのベースバンド信号として与えられる送信データを直交変調する機能部や、送信データをアナログの無線信号に変換し増幅する増幅装置を備えている。送信部５が出力する無線信号は、アンテナ７から送信される。
【００３６】
受信部６は、アンテナ７を介して受信した移動端末からの無線信号を増幅する機能や、無線信号をデジタル変換し直交復調することで受信データをベースバンド信号として出力する機能を備え、受信した無線信号をデジタルの受信データとして出力する機能を有している。
【００３７】
ＢＢＵ４は、上述したようにデジタル信号処理等を行う機能を有しており、信号処理部８と、休止制御部９と、上位ネットワークとの間で通信を行うためのＩ／Ｆ部１０とを備えている。
【００３８】
信号処理部８は、ＲＲＨ３との間で授受されるデジタルの送受信データについてデジタル信号処理を行う機能を有している。
信号処理部８は、Ｉ／Ｆ部１０を介して無線通信システムの上位ネットワークに接続され、上位ネットワークとの間で、移動端末間で送受信される送受信データの授受を行う。
また、信号処理部８は、自装置１が送信すべき送信データに対して割り当てるリソースについての割当制御や、送信電力についての制御等を行う機能を有している。
【００３９】
休止制御部９は、ＣＢ基地局装置１のモードを、上述の活性状態、又は休止状態のいずれかに設定する機能を有している。
休止制御部９は、Ｉ／Ｆ部１０を介してカバレッジ基地局装置１００等の隣接基地局や、無線通信システムにおける上位機器等から送信される、活性状態に遷移することを要求する活性化要求を受信する機能や、自装置１のトラフィック量を監視する機能を有している。
休止制御部９は、活性化要求が与えられると、自装置１を休止状態から活性状態に遷移させる。
【００４０】
また、休止制御部９は、自装置１のトラフィック量が所定の閾値を下回ると、自装置１を休止状態に遷移させる。
休止制御部９は、活性状態から休止状態に遷移する際、ＲＲＨ３の送信部５に対して、休止状態に遷移することを通知するための休止遷移信号を与える。
また、休止制御部９は、休止状態から活性状態に遷移する際、ＲＲＨ３の送信部５に対して、活性状態に遷移することを通知するための活性遷移信号を与える。
【００４１】
よって、送信部５は、休止遷移信号が通知された後、活性遷移信号が通知されるまでは、自装置であるＣＢ基地局装置１が休止状態であることを認識することができる。
休止遷移信号が与えられた送信部５は、後述する増幅器におけるドレイン電圧の調整処理を実行する。
【００４２】
〔３．  増幅装置について〕
図３は、第１実施形態に係る送信部５の要部を示すブロック図である。
送信部５は、上述したように無線信号を増幅する増幅装置２０を備えている。
増幅装置２０は、歪補償部１６１と、Ｄ／Ａ変換器（ＤＡＣ）１６２と、アップコンバータ１６３と、増幅器１６４と、電源１６５と、カプラ１６６と、発振器１６７と、稼働情報取得部１６８と、調整処理部２００とを備えている。稼働情報取得部１６８は、電力情報取得部１４１と、温度情報取得部１４２とを備えている。
【００４３】
まず、増幅装置２０において処理される信号について説明する。増幅装置２０においては、デジタル信号およびアナログ信号が処理される。
【００４４】
以下、デジタル信号を＊［ｎ］と表す場合がある。＊［ｎ］におけるインデックスｎは、デジタル信号のサンプリング間隔すなわちクロック周期Ｔに従って生成されるデジタル信号の順序を表す。具体的には、たとえば１番目に生成されたデジタル信号は、＊［１］で表し、５番目に生成されたデジタル信号は、*［５］で表す。また、以下、アナログ信号を＊（ｔ）と表す場合がある。＊（ｔ）における引数ｔは、時刻を表す。
【００４５】
なお、上記デジタル信号およびアナログ信号の説明における「＊」は、ワイルドカードを意味し、具体的には、増幅装置２０と他の機能ブロックまたは他の装置との間、および増幅装置２０における各機能ブロック間において送受信される信号を識別するための符号を表す。
【００４６】
増幅装置２０は、たとえば、他の機能ブロックまたは他の装置から受けた増幅対象の信号である対象信号を増幅し、出力信号を出力する。具体的には、増幅装置２０は、たとえば、信号処理部８（図２）から与えられるベースバンド信号ｘ［ｎ］を増幅し、ＲＦ出力信号Ｙ（ｔ）をカプラ１６６経由でアンテナ７（図２）へ出力する。
【００４７】
この際、増幅装置２０は、対象信号の振幅と出力信号の振幅との間に線形性が保たれるように歪補償を行う。具体的には、歪補償部１６１は、たとえばＤＰＤ（Digital Pre-Distortion）を行なうことにより、増幅器１６４における歪を補償する。
【００４８】
より詳細には、歪補償部１６１は、信号処理部８からベースバンド信号ｘ［ｎ］が与えられると、与えられたベースバンド信号ｘ［ｎ］を変数に含む１つの制御関数または複数の当該制御関数の線形結合に基づいて歪補償信号ｕ［ｎ］を生成し、生成した歪補償信号ｕ［ｎ］をＤＡＣ１６２へ与える。ＤＰＤ、制御関数および歪補償信号ｕ［ｎ］の詳細については後述する。
【００４９】
ＤＡＣ１６２は、歪補償部１６１から与えられた歪補償信号ｕ［ｎ］をアナログ信号Ｕ（ｔ）に変換し、当該アナログ信号Ｕ（ｔ）をアップコンバータ１６３へ与える。
【００５０】
アップコンバータ１６３は、ＤＡＣ１６２から与えられたアナログ信号Ｕ（ｔ）および発振器１６７が生成するＲＦ帯のローカル信号を乗算することにより、当該アナログ信号Ｕ（ｔ）をＲＦ帯の信号にアップコンバートし、アップコンバートしたアナログ信号Ｕ（ｔ）を増幅器１６４へ与える。
【００５１】
電源１６５は、ドレイン電圧ＶＤＤ（ｔ）を増幅器１６４へ与える。電源１６５と増幅器１６４との間には、調整処理部２００が接続されている。電源１６５は、調整処理部２００を介してドレイン電圧ＶＤＤ（ｔ）を増幅器１６４に与える。この調整処理部２００については、後に詳述する。
【００５２】
増幅器１６４は、電源１６５から与えられる電力を用いて動作する。増幅器１６４は、アップコンバータ１６３から受けたＲＦ帯のアナログ信号Ｕ（ｔ）を増幅し、増幅後のＲＦ帯のアナログ信号であるＲＦ出力信号Ｙ（ｔ）をカプラ１６６へ出力する。
【００５３】
カプラ１６６は、増幅器１６４から受けたＲＦ出力信号Ｙ（ｔ）をアンテナ７（図２）経由で電波として送信する。この際、カプラ１６６は、結合量に応じたレベルのＲＦ出力信号Ｙ（ｔ）を稼働情報取得部１６８へ出力する。
【００５４】
稼働情報取得部１６８は、増幅器１６４の稼働状態を示す稼働情報を取得する。具体的には、稼働情報取得部１６８における電力情報取得部１４１は、カプラ１６６からＲＦ出力信号Ｙ（ｔ）を受け付け、受け付けたＲＦ出力信号Ｙ（ｔ）の電力を測定する。
【００５５】
電力情報取得部１４１は、たとえば、ＲＦ出力信号Ｙ（ｔ）について検波処理および平滑化処理を行い、処理後の信号の電力の情報を含む電力情報を生成する。そして、電力情報取得部１４１は、生成した電力情報を稼働情報として歪補償部１６１へ出力する。
【００５６】
なお、稼働情報取得部１６８は、ＲＦ出力信号Ｙ（ｔ）の電力を自ら測定する構成であるとしたが、これに限定するものではない。稼働情報取得部１６８は、たとえば、外部の装置において測定されたＲＦ出力信号Ｙ（ｔ）の電力を稼働情報として取得してもよい。
【００５７】
温度情報取得部１４２は、増幅器１６４の温度を取得する。具体的には、温度情報取得部１４２は、たとえば、増幅器１６４の固定に用いるフランジ部に設置されたサーミスタおよび熱電対等の温度センサからの信号を稼働情報として取得する。
【００５８】
そして、温度情報取得部１４２は、温度センサからの信号を用いて増幅器１６４の温度の情報を含む温度情報を生成する。そして、温度情報取得部１４２は、生成した温度情報を歪補償部１６１へ出力する。
【００５９】
なお、温度の情報は、測定された温度の値そのものであってもよいし、当該温度に応じたレベル（段階）であってもよい。
【００６０】
〔４．  歪補償部について〕
図４は、歪補償部の構成を示すブロック図である。
歪補償部１６１は、歪補償信号生成部２１と、係数更新部（係数取得部）２２と、係数記憶部２３とを備えている。
歪補償部１６１は、ＤＰＤモデルを用いてベースバンド信号ｘ［ｎ］から歪補償信号ｕ［ｎ］を生成する。
【００６１】
ＤＰＤモデルは、具体的には、たとえばベースバンド信号ｘ［ｎ］を変数に含む１つの制御関数、または複数の当該制御関数の線形結合である。ここで、ベースバンド信号ｘ［ｎ］および歪補償信号ｕ［ｎ］は、たとえば、Ｉ信号成分およびＱ信号成分を含む複素数である。
【００６２】
より詳細には、歪補償部１６１における歪補償信号生成部２１は、たとえば、以下の式（１）で表されるメモリ多項式型ＤＰＤモデルを用いてベースバンド信号ｘ［ｎ］から歪補償信号ｕ［ｎ］を生成する。
【数１】
2015027034.tif 000003
【００６３】
メモリ多項式型ＤＰＤモデルは、ベースバンド信号ｘ［ｎ］のべき乗の線形結合で表される。したがって、メモリ多項式型ＤＰＤモデルにおける制御関数は、ベースバンド信号ｘ［ｎ］のべき乗である。そして、当該線形結合における制御関数の係数は、たとえば以下の式（２）で表される。
【数２】
2015027034.tif 000004
【００６４】
なお、ＤＰＤモデルは、たとえば、Volterra級数型ＤＰＤモデルまたはWiener-Hammerstein Predistorter型ＤＰＤモデルであってもよい。
【００６５】
増幅器１６４の入出力特性は、たとえば、増幅器１６４における温度や電力等の稼働状態に応じて変化する。したがって、たとえば、ある温度、及び電力において、ベースバンド信号ｘ［ｎ］とＲＦ出力信号Ｙ（ｔ）との間で良好な線形性を与える係数が歪補償信号生成部２１におけるＤＰＤモデルに設定されていても、上記温度、及び電力の少なくともいずれか１つが変化すると、入出力特性の線形性が悪くなってしまう。
【００６６】
増幅器１６４の入出力特性の線形性が悪くなると、異常な電波または不要なスプリアスがアンテナ７経由で空中へ送信される場合があるので好ましくない。
【００６７】
そこで、係数更新部２２は、歪補償信号生成部２１において用いられる制御関数の係数を、稼働情報取得部１６８から取得した情報に応じた係数に更新する。
ここで、係数記憶部２３は、係数更新部２２が用いる係数が登録されているＬＵＴ（Look up Table）６１を記憶保持している。
係数更新部２２は、このＬＵＴ（Look up Table）６１を参照することで、更新すべき係数を取得する。
【００６８】
図５は、係数記憶部２３が保持するＬＵＴの一例を示す図である。
図中、ＬＵＴ６１には、増幅器１６４の稼働状態と制御関数の係数との対応関係を示す対応情報が登録されている。より具体的には、ＬＵＴ６１には、歪補償信号生成部２１において用いられる制御関数の係数であって、温度および電力の各種組合せに対して良好な線形性を与えるように最適化された係数が登録されている。
【００６９】
ＬＵＴ６１に登録されている係数は、増幅器１６４の入出力特性に合うように演算された制御関数の係数である。これにより、パワーアンプの個体差に起因する入出力特性のばらつきの影響を排除した、増幅器１６４ごとに最適化した制御関数の係数を用意することができる。
より詳細には、制御関数の係数は、たとえば、増幅器１６４の温度および増幅器１６４の出力電力を掃引しながら、各温度および各電力において、最適化されるように演算された係数である。
【００７０】
なお、係数記憶部２３が保持するＬＵＴ６１は、たとえば、ネットワーク経由で他の装置によって更新されてもよい。
【００７１】
図４に戻って、係数更新部２２は、たとえば、所定時間毎に温度情報、及び電力情報を稼働情報取得部１６８から受け付けると、受け付けた温度情報、及び電力情報の内容に応じた制御関数の係数を係数記憶部２３のＬＵＴ６１から取得する。
【００７２】
より具体的には、係数更新部２２は、たとえば、温度情報として「２０度」、電力情報として「４０ｄＢｍ」を稼働情報取得部１６８から受け付けると、ＬＵＴ６１を参照し、制御関数の係数として「ｆａ１，ｆａ２，ｆａ３，．．．」を取得する。
制御関数の係数を取得すると、係数更新部２２は、歪補償信号生成部２１において用いられる制御関数の係数を、取得した「ｆａ１，ｆａ２，ｆａ３，．．．」に更新する。
【００７３】
以上のように、歪補償部１６１は、増幅器１６４の稼働状態に応じた係数（歪補償係数）によって歪補償を行うことができる。この結果、歪補償部１６１は、増幅器１６４の帰還信号を用いることなく歪補償を行うことが可能となる。
【００７４】
〔５．  調整処理部について〕
図６は、調整処理部２００の構成を示すブロック図である。
調整処理部２００は、増幅器１６４のアイドル電流が経時的に一定となるようにドレイン電圧を調整する処理（電圧調整処理）を実行する機能を有している。
ここで、増幅器１６４のアイドル電流とは、増幅器１６４（のゲート）に対して増幅すべきアナログ信号Ｕ（ｔ）の入力がない状態（アイドル状態）において、電源１６５が接続されるドレインから、ＲＦ出力信号Ｙ（ｔ）が出力されるソースに流れる漏れ電流である。
【００７５】
調整処理部２００は、電源１６５の電源電圧ＶＤＤ１に対して、ドレイン電圧を調整するための調整電圧を加えることによって、アイドル電流が経時的に一定となるように電圧調整処理を行う。
調整処理部２００は、増幅器１６４がアイドル状態であるときに、上記調整電圧を算出し更新する。
【００７６】
調整処理部２００は、電源１６５の電源電圧ＶＤＤ１に加算される調整電圧Ｖａｄｄを生成する調整電圧生成部２０１と、調整電圧Ｖａｄｄを電源１６５の電源電圧ＶＤＤ１に加算するための加算器２０２と、加算器２０２及び増幅器１６４の間に接続された抵抗器２０３とを備えている。
【００７７】
調整処理部２００の各機能は、その一部又は全部がハードウェア回路によって構成されてもよいし、その一部又は全部が、ソフトウェア（コンピュータプログラム）をコンピュータによって実行させることで実現されていてもよい。調整処理部２００の機能を実現するソフトウェア（コンピュータプログラム）は、コンピュータの記憶装置（図示省略）に格納される。
【００７８】
調整電圧生成部２０１は、増幅器１６４がアイドル状態での抵抗器２０３後段における電圧Ｖｉを検出する機能を有している。
また、調整電圧生成部２０１は、電圧Ｖｉを検出するために、増幅器１６４がアイドル状態か否かを判断することができる。
【００７９】
本実施形態のＣＢ基地局装置１は、上述したように、動作モードとして休止状態又は活性状態のいずれかを選択的に実行するように構成されている。
ＣＢ基地局装置１は、休止状態では、移動端末２との間の無線信号の送受信を停止するので、増幅器１６４はアイドル状態となる。
よって、調整電圧生成部２０１は、ＣＢ基地局装置１が休止状態であるときに、増幅器１６４がアイドル状態であると判断することができる。
【００８０】
調整電圧生成部２０１には、休止制御部９（図２）から休止遷移信号及び活性遷移信号が与えられる。調整電圧生成部２０１は、増幅器１６４がアイドル状態であるか否かの判断を、これら信号に基づいて行う。
ＣＢ基地局装置１が休止状態に遷移する場合、休止制御部９から休止遷移信号が通知され、再度活性状態に遷移する際には、活性遷移信号が通知される。
よって、調整電圧生成部２０１は、休止遷移信号が通知されたときを記憶しておくことで、活性遷移信号が通知されるまでは、自装置であるＣＢ基地局装置１が休止状態であると判断でき、増幅器１６４がアイドル状態であると判断することができる。
【００８１】
増幅器１６４がアイドル状態であると判断する場合、調整電圧生成部２０１は、調整電圧Ｖａｄｄの算出を開始する。
すなわち、調整電圧生成部２０１は、抵抗器２０３と増幅器１６４との間から分岐している分岐路２０４に接続されているＡ／Ｄ変換器（ＡＤＣ）２０５を介して電圧Ｖｉを検出する。
さらに、調整電圧生成部２０１は、下記式（３）に示すように、検出した電圧Ｖｉに基づいて、調整電圧Ｖａｄｄを求める。
調整電圧Ｖａｄｄ  ＝  Ｖｒｅｆ−｛（ＶＤＤ１＋Ｖａｄｄ）−Ｖｉ｝  ・・・（３）
【００８２】
上記式（３）中、参照電圧Ｖｒｅｆは、抵抗器２０３に所定の電流値Ｉが流れたときの電圧降下値である。調整電圧生成部２０１は、参照電圧Ｖｒｅｆを記憶している。
所定の電流値Ｉは、予め規定されたアイドル電流であり、本実施形態の歪補償部１６１は、アイドル電流が電流値Ｉのときを基準として制御関数の係数が設定されている。
【００８３】
上記式（３）中、電圧ＶＤＤ１は、電源１６５の電圧を示しており、「（ＶＤＤ１＋Ｖａｄｄ）」は、加算器２０２の出力電圧である。よって、上記式（３）中、「｛（ＶＤＤ１＋Ｖａｄｄ）−Ｖｉ｝」は、増幅器１６４がアイドル状態における抵抗器２０３両端の電圧降下値Ｖｒを示している。
【００８４】
つまり、調整電圧生成部２０１は、増幅器１６４がアイドル状態において、上記式（３）によって、所定の電流値Ｉが流れたときの抵抗器２０３両端の電圧降下値である参照電圧Ｖｒｅｆと、抵抗器２０３両端の電圧降下値Ｖｒとの差分を求め、その差分をそのまま調整電圧Ｖａｄｄとして出力する。
また、調整電圧生成部２０１は、求めた調整電圧Ｖａｄｄを記憶する。さらに、調整電圧生成部２０１は、過去の調整電圧Ｖａｄｄ、ＶＤＤ１、及びＶｉを記憶しており、抵抗器２０３両端の電圧降下値Ｖｒや、調整電圧Ｖａｄｄを、これら記憶している値に基づいてデジタル処理によって求める。
【００８５】
調整電圧生成部２０１が出力する調整電圧Ｖａｄｄは、Ｄ／Ａ変換器２０６を介して加算器２０２に与えられ、電源１６５の電圧ＶＤＤ１に加算され、さらに、抵抗器２０３を通じて、増幅器１６４に向けたドレイン電圧ＶＤＤ（ｔ）として出力される。
このように、増幅器１６４に与えられるドレイン電圧ＶＤＤ（ｔ）は、調整電圧Ｖａｄｄを電源１６５の電圧ＶＤＤ１に加算することによって調整される。
【００８６】
調整電圧Ｖａｄｄは、再度電源１６５の電圧ＶＤＤ１に加算され、調整電圧生成部２０１による上記処理に再度用いられる。このように、調整電圧生成部２０１は、新たな調整電圧Ｖａｄｄを反復して求める。調整電圧生成部２０１は、調整電圧Ｖａｄｄを求めるごとに、記憶している調整電圧Ｖａｄｄを更新する。
【００８７】
調整電圧Ｖａｄｄは、調整電圧生成部２０１による上記処理を反復することによって、抵抗器２０３両端の電圧降下値Ｖｒを参照電圧Ｖｒｅｆに近似し得る値に収束する。言い換えると、調整電圧生成部２０１は、増幅器１６４がアイドル状態において電圧Ｖｉを検出し、上記処理を反復することで、電圧降下値Ｖｒを参照電圧Ｖｒｅｆに近似し得る調整電圧Ｖａｄｄを求めることができる。
【００８８】
調整電圧生成部２０１が、抵抗器２０３両端の電圧降下値Ｖｒを参照電圧Ｖｒｅｆに近似させうる調整電圧Ｖａｄｄを出力すると、抵抗器２０３両端の電圧降下値Ｖｒが参照電圧Ｖｒｅｆに近似した値となるため、抵抗器２０３に流れる電流も、所定の電流値Ｉに近似した値となる。
【００８９】
このように、調整処理部２００は、抵抗器２０３両端の電圧降下値Ｖｒを参照電圧Ｖｒｅｆに近似させうる調整電圧Ｖａｄｄを求め、電源１６５の電圧ＶＤＤ１に加算することで、増幅器１６４のアイドル電流が経時的に所定の電流値Ｉ（に近似した値）で一定となるようにドレイン電圧を調整することができる。
【００９０】
調整電圧生成部２０１は、抵抗器２０３両端の電圧降下値Ｖｒが参照電圧Ｖｒｅｆに近似し得る調整電圧Ｖａｄｄに収束したと判断すると、調整電圧Ｖａｄｄの算出を終える。
次いで、調整電圧生成部２０１は、そのときに記憶している最新の調整電圧Ｖａｄｄを加算器２０２に対して与える。
【００９１】
なお、調整電圧生成部２０１は、活性遷移信号を受信したときに調整電圧Ｖａｄｄの算出を終えてもよい。この場合、ＣＢ基地局装置１が活性状態に遷移し、増幅器１６４がアイドル状態ではなくなるからである。
【００９２】
調整電圧生成部２０１は、ＣＢ基地局装置１が活性状態に遷移した後、記憶している最新の調整電圧Ｖａｄｄを加算器２０２に対して継続して与える。
これによって、アイドル電流を所定の電流値Ｉで一定の状態となるように増幅装置２０を動作させることができる。
【００９３】
上述したように、本実施形態の歪補償部１６１は、アイドル電流が電流値Ｉのときを基準として制御関数の係数が設定されている。よって、アイドル電流が変動すると、増幅器１６４の入出力特性が変化し、その線形性を悪化させてしまう。
増幅器１６４は、一般に、経時変化によってアイドル電流に変動が生じるという性質がある。
【００９４】
この点、本実施形態によれば、調整処理部２００は、増幅器１６４のアイドル電流が経時的に一定となるように、ドレイン電圧を調整することで、アイドル電流の経時的な変動を抑制することができる。この結果、アイドル電流の変動が増幅器の増幅特性に与える影響を抑制することができる。
【００９５】
なお、上記実施形態では、調整電圧生成部２０１は、上記式（３）に示すように、検出した電圧Ｖｉに基づいて、アイドル状態における、抵抗器２０３両端の電圧降下値Ｖｒを求め、この電圧降下値Ｖｒが、参照電圧Ｖｒｅｆに近似するようにドレイン電圧を調整している。
抵抗器２０３両端の電圧降下値Ｖｒは、抵抗器２０３に流れる電流であるアイドル電流と線形関係にあり、アイドル電流と等価であると言える。よって、調整電圧生成部２０１は、電圧Ｖｉを検出することで抵抗器２０３両端の電圧降下値Ｖｒを求めており、増幅器１６４のアイドル電流を取得していると言える。
【００９６】
つまり、本実施形態の調整電圧生成部２０１は、増幅器１６４のアイドル電流の経時的な変動を、抵抗器２０３両端の電圧降下値Ｖｒの参照電圧Ｖｒｅｆに対する差分として取得する。また、調整電圧生成部２０１は、この差分に応じて、アイドル電流と等価である抵抗器２０３両端の電圧降下値Ｖｒが、参照電圧Ｖｒｅｆに近似するようにドレイン電圧を調整することによって、アイドル電流を所定の電流値Ｉで一定の状態となるように調整している。
【００９７】
調整電圧生成部２０１は、増幅器１６４のアイドル電流と等価である、抵抗器２０３両端の電圧降下値Ｖｒの経時的な変動を、参照電圧Ｖｒｅｆを基準として把握し、把握した電圧降下値Ｖｒの経時的な変動に応じて、当該電圧降下値Ｖｒを調整している。
【００９８】
すなわち、上記構成の増幅装置２０によれば、調整電圧生成部２０１が、増幅器１６４のアイドル電流の経時的な変動に応じて、アイドル電流を調整することにより、アイドル電流の経時的な変動を抑制することができる。
これにより、アイドル電流の変動が増幅器１６４の増幅特性に与える影響を抑制することができるので、増幅器１６４の帰還信号を用いることなく歪補償を行うことが可能な歪補償部１６１を採用することが可能となり、増幅器１６４の出力信号をデジタル信号に変換するためのＡ／Ｄ変換器を用いることなく、歪補償を行うことができる。この結果、広帯域の信号を処理する場合にも、コスト増加の要因となるＡ／Ｄ変換器を用いる必要がないので、低コスト化が可能となる。
【００９９】
また、本実施形態では、増幅器１６４のアイドル電流を所定の電流値Ｉで一定の状態とするための調整を、ドレイン電圧の調整によって行うので、調整電圧生成部２０１は、容易に増幅器１６４のアイドル電流を調整することができる。
【０１００】
なお、調整電圧生成部２０１が増幅器１６４のアイドル電流を検出可能である場合には、検出したアイドル電流が一定となるように、ドレイン電圧を調整してもよい。
【０１０１】
また、アイドル電流は、増幅器１６４によって増幅される信号がないときにドレインに流れる電流であるため、増幅器１６４によって増幅される信号が休止されるときに検出する必要がある。
このため、本実施形態では、調整処理部２００は、増幅器１６４によって増幅される信号が休止されるＣＢ基地局装置１の休止状態を示す休止遷移信号を取得し、この休止遷移信号に基づいて、アイドル電流と等価である抵抗器２０３両端の電圧降下値Ｖｒを求めるための電圧Ｖｉを検出する時期として増幅器１６４のアイドル状態（ＣＢ基地局装置１の休止状態）を特定している。
この場合、調整処理部２００は、休止遷移信号（休止情報）に基づいてＣＢ基地局装置１の休止状態の時期（休止時期）を特定することができるので、確実に、増幅器１６４のアイドル電流と等価な、増幅器１６４がアイドル状態における抵抗器２０３両端の電圧降下値Ｖｒを検出することができる。
【０１０２】
図７は、調整処理部２００による電圧調整処理を示したフローチャートである。
まず、調整処理部２００の調整電圧生成部２０１は、調整電圧Ｖａｄｄの初期値を設定する（ステップＳ１）。
次いで、調整電圧生成部２０１は、休止制御部９から通知された最後の信号が休止遷移信号であるか否かを判定する（ステップＳ２）。
最後に受信した信号が活性遷移信号である場合、ＣＢ基地局装置１が活性状態にあると判断することができる。
よって、ステップＳ２において、最後に受信した信号が休止遷移信号ではないと判断する場合、調整電圧生成部２０１は、ステップＳ６に進み、現状記憶している調整電圧Ｖａｄｄを加算器２０２に対して継続的に与えることで、電源１６５の電圧に調整電圧Ｖａｄｄを加算し、ドレイン電圧の調整を行う（ステップＳ６）。この場合、調整電圧生成部２０１は、前回求めた調整電圧Ｖａｄｄ（又は初期値）を用いて、増幅器１６４のアイドル電流が一定となるようにドレイン電圧を調整する。
【０１０３】
一方、ステップＳ２において、最後に受信した信号が休止遷移信号であると判断する場合、増幅器１６４がアイドル状態と判断できるので、調整電圧生成部２０１は、電圧Ｖｉを検出し（ステップＳ３）、抵抗器２０３両端の電圧降下値Ｖｒを求める。
【０１０４】
次いで、調整電圧生成部２０１は、抵抗器２０３両端の電圧降下値Ｖｒと、参照電圧Ｖｒｅｆとを比較して、調整電圧Ｖａｄｄの更新が必要か否かを判定する（ステップＳ４）。
調整電圧生成部２０１は、例えば、抵抗器２０３両端の電圧降下値Ｖｒと、参照電圧Ｖｒｅｆとの差分が、誤差と認められる範囲であるために調整電圧Ｖａｄｄを更新する必要がないと判断できる閾値以下である場合には、調整電圧生成部２０１は、調整電圧Ｖａｄｄの更新を必要なしと判定する。
【０１０５】
ステップＳ４において、調整電圧Ｖａｄｄの更新を必要なしと判定した場合、調整電圧生成部２０１は、ステップＳ６に進み、ドレイン電圧の調整を実行する（ステップＳ６）。
一方、ステップＳ４において、調整電圧Ｖａｄｄの更新が必要と判定すると、調整電圧生成部２０１は、調整電圧Ｖａｄｄの算出を実行する（ステップＳ５）。
【０１０６】
調整電圧Ｖａｄｄの算出を終えると、調整電圧生成部２０１は、ステップＳ６に進み、ドレイン電圧の調整を実行する。つまり、調整電圧生成部２０１は、ステップＳ５にて求めた調整電圧Ｖａｄｄを加算器２０２に対して継続して与えることで、ドレイン電圧を調整する。
【０１０７】
なお、ステップＳ３において、調整電圧生成部２０１が増幅器１６４のアイドル電流を検出可能である場合には、アイドル電流を検出し、検出したアイドル電流が、所定の電流値Ｉに対して、どの程度誤差があるか否かで調整電圧Ｖａｄｄの更新が必要か否かをステップＳ４において判定するように構成することができる。
さらに、調整電圧生成部２０１が増幅器１６４のアイドル電流を検出可能である場合には、ステップＳ５における調整電圧Ｖａｄｄの算出においては、調整電圧生成部２０１は、アイドル電流を用いて調整電圧Ｖａｄｄ求めることができる。
【０１０８】
上記調整処理部２００では、調整電圧生成部２０１が、調整電圧Ｖａｄｄの他、過去の調整電圧Ｖａｄｄ、ＶＤＤ１、及びＶｉを記憶しており、抵抗器２０３両端の電圧降下値Ｖｒや、調整電圧Ｖａｄｄを、これら記憶している値に基づいてデジタル処理によって求める場合を示したが、例えば、アナログ処理によって、抵抗器２０３両端の電圧降下値Ｖｒや、調整電圧Ｖａｄｄを求める構成とすることもできる。
【０１０９】
〔６．  変形例について〕
図８は、調整処理部２００の他の例を示すブロック図である。
図８に示す調整処理部２００は、抵抗器２０３両端の電圧降下値Ｖｒを求める第１減算器２０７と、参照電圧Ｖｒｅｆを発生させる電源２０８と、参照電圧Ｖｒｅｆ及び抵抗器２０３両端の電圧降下値Ｖｒの差分を求める第２減算器２０９とを備え、調整電圧生成部２０１が、休止遷移信号を受信してから、活性遷移信号を受信するまでの間、記憶内容が書き換え可能とされたメモリによって構成されている点において、図７の調整処理部２００と相違している。
【０１１０】
図８の調整処理部２００では、第２減算器２０９は、随時、参照電圧Ｖｒｅｆ及び抵抗器２０３両端の電圧降下値Ｖｒの差分を、ＡＤＣ２０５を介して調整電圧生成部２０１に与える。
【０１１１】
これに対して、調整電圧生成部２０１は、休止遷移信号を受信してから、活性遷移信号を受信するまでの間、すなわち、ＣＢ基地局装置１の休止状態の間のみ記憶内容が書き換え可能なので、休止遷移信号を受信しているとき以外に前記差分が与えられたとしても、以前に記憶した内容を保持し続ける。
【０１１２】
ここで、ＣＢ基地局装置１が休止状態となれば、増幅器１６４はアイドル状態となる。このとき、第２減算器２０９は、増幅器１６４がアイドル状態であるときの抵抗器２０３両端の電圧降下値Ｖｒと、アイドル電流が電流値Ｉであるときの参照電圧Ｖｒｅｆとの差分を出力する。この差分をそのまま調整電圧Ｖａｄｄとして電源１６５の電圧ＶＤＤ１に加算すれば、アイドル電流が電流値Ｉで一定となるようにドレイン電圧を調整することができる。
【０１１３】
ＣＢ基地局装置１は、休止状態に遷移すれば、休止遷移信号を調整電圧生成部２０１に通知するので、調整電圧生成部２０１は、休止遷移信号を受信することによって、記憶内容を書き換え可能となる。
このとき、ＣＢ基地局装置１は休止状態であるので、第２減算器２０９は、アイドル電流を一定とし得る前記差分を調整電圧生成部２０１に向けて出力する。
これにより、調整電圧生成部２０１は、アイドル電流を一定とし得る前記差分に記憶内容が書き換えられる。
【０１１４】
その後、ＣＢ基地局装置１が活性状態に遷移し、活性遷移信号を受信すると、調整電圧生成部２０１は、記憶内容の書き換えが不可となり、休止状態のときに記憶された内容を保持する。よって、調整電圧生成部２０１は、増幅器１６４がアイドル状態のときに記憶した、アイドル電流を一定とし得る前記差分を、調整電圧Ｖａｄｄとして加算器２０２に対して継続して与える。
【０１１５】
このように、調整電圧生成部２０１は、増幅器１６４がアイドル状態のときに算出された調整電圧Ｖａｄｄを保持することができる。
【０１１６】
以上によって、この調整処理部２００によっても、ドレイン電圧を調整することで、アイドル電流を一定の状態で維持するように調整し、アイドル電流の経時的な変動を抑制することができる。
【０１１７】
また、図８の構成によれば、調整処理部２００が行う処理のほとんどをアナログ処理によって実行するように構成したので、簡易かつ低コストで実現することができる。
【０１１８】
今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【０１１９】
１  キャパシティブースタ基地局装置
２  移動端末
３  ＲＲＨ
４  ＢＢＵ
５  送信部
６  受信部
７  アンテナ
８  信号処理部
９  休止制御部
１０  Ｉ／Ｆ部
２０  増幅装置
２１  歪補償信号生成部
２２  係数更新部（係数取得部）
２３  係数記憶部
６１  ＬＵＴ
１００  カバレッジ基地局装置
１０１  カバレッジセル
１０２ａ，１０２ｂ  キャパシティブースタセル
１４１  電力情報取得部
１４２  温度情報取得部
１６１  歪補償部
１６２  Ｄ／Ａ変換器
１６３  アップコンバータ
１６４  増幅器
１６５  電源
１６６  カプラ
１６７  発振器
１６８  稼働情報取得部
２００  調整処理部
２０１  調整電圧生成部
２０２  加算器
２０３  抵抗器
２０４  分岐路
２０５  Ａ／Ｄ変換器
２０６  Ｄ／Ａ変換器
２０７  第１減算器
２０８  電源
２０９  第２減算器
【図１】
2015027034.tif 000005
【図２】
2015027034.tif 000006
【図３】
2015027034.tif 000007
【図４】
2015027034.tif 000008
【図５】
2015027034.tif 000009
【図６】
2015027034.tif 000010
【図７】
2015027034.tif 000011
【図８】
2015027034.tif 000012